(57)【要約】【課題】施工性を向上させることができるバルコニーを提供することを目的としている。【解決手段】建物躯体の側壁側から軒先側に並行させて延設した妻桁２と、  妻桁２の先端間を接続する前桁３と、  前桁３に内に設けられている一対の集水枡１８ａ，１８ｂと、  一対の集水枡１８ａ，１８ｂを繋ぐ前桁横樋１９と、を有し、  一対の集水枡１８ａ，１８ｂを前桁３内に設けるにあたって、一方の集水枡１８ａの取り付け位置より他方の集水枡１８ｂの取り付け位置を低くすることによって、前桁横樋１９に勾配を設けている。【選択図】図２
2018040173.tif 000002
【特許請求の範囲】
【請求項１】
建物躯体の側壁側から軒先側に並行させて延設した妻桁と、
前記妻桁の先端間を接続する前桁と、
前記前桁に内に設けられている一対の集水枡と、
前記一対の集水枡を繋ぐ前桁側に位置する樋と、を有し、
前記一対の集水枡を前記前桁内に設けるにあたって、一方の集水枡の取り付け位置より他方の集水枡の取り付け位置を低くすることによって、前記樋に勾配を設けてなるバルコニー。
【請求項２】
前記一対の集水枡は、同一部材で構成されてなる請求項１に記載のバルコニー。
【発明の詳細な説明】
【技術分野】
【０００１】
本発明は、建物躯体の側壁から張り出して設けられるバルコニーに関する。
【背景技術】
【０００２】
近年、バルコニーは、建物の外観に優れている等の観点から、新築やリフォームの際に施工する例が増えてきている。例えば、特許文献１に記載のようなバルコニーが知られている。このバルコニーは、前桁、支持体、妻桁、根太、横架材、によって構成されるもので、支持体において、スペーサーが、それぞれブラケットの上面の後端部、前端部に配置されるとともに、後側に配置されるスペーサーの厚みを、前側に配置されるスペーサーよりも厚く設定することにより、ブラケットに固定されたカバー材の上面において、後端側から前端側に向かって低くなる勾配が形成されるようになっているというものである。これにより、前桁横樋の水を一方の妻桁側へと流すことができ、前桁に流れ込んだ雨水などの排水が行われ易い構成とすることができるというものである。
【先行技術文献】
【特許文献】
【０００３】
【特許文献１】特開２０１１−１９６１２５号公報
【発明の概要】
【発明が解決しようとする課題】
【０００４】
しかしながら、このようなバルコニーは、スペーサーを用いて勾配を形成しているため、スペーサーの厚みを変更しなければならない等、作業が非常に煩雑であり、もって、施工性が低下するという問題があった。
【０００５】
そこで、本発明は、上記問題に鑑み、施工性を向上させることができるバルコニーを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、建物躯体（Ｋ）の側壁側から軒先側に並行させて延設した妻桁（２）と、
前記妻桁（２）の先端（先端部２ｂ）間を接続する前桁（３）と、
前記前桁（３）に内に設けられている一対の集水枡（１８ａ，１８ｂ）と、
前記一対の集水枡（１８ａ，１８ｂ）を繋ぐ前桁（３）側に位置する樋（前桁横樋１９）と、を有し、
前記一対の集水枡（１８ａ，１８ｂ）を前記前桁（３）内に設けるにあたって、一方の集水枡（１８ａ）の取り付け位置より他方の集水枡（１８ｂ）の取り付け位置を低くすることによって、前記樋（前桁横樋１９）に勾配を設けてなることを特徴としている。
【０００８】
また、請求項２の発明によれば、上記請求項１に記載のバルコニーにおいて、前記一対の集水枡（１８ａ，１８ｂ）は、同一部材で構成されてなることを特徴としている。
【発明の効果】
【０００９】
次に、本発明の効果について、図面の参照符号を付して説明する。なお、括弧内は、後述する実施形態の参照符号を付したものであるが、本発明はこれに限定されるものではない。
【００１０】
請求項１に係る発明によれば、一対の集水枡（１８ａ，１８ｂ）を前桁（３）内に設けるにあたって、一方の集水枡（１８ａ）の取り付け位置より他方の集水枡（１８ｂ）の取り付け位置を低くすることによって、前桁（３）側に位置する樋（前桁横樋１９）に勾配を設けるようにしている。これにより、従来のように、勾配を設けるにあたって、スペーサーの厚みを変更しなければならない等の作業工程が無くなり、もって、作業が簡素化され、施工性を向上させることができる。
【００１１】
また、請求項２に係る発明によれば、一対の集水枡（１８ａ，１８ｂ）は、同一部材で構成されているから、部品を共通化することができ、もって、部品点数を削減することができる。
【図面の簡単な説明】
【００１２】
【図１】（ａ）は本発明の一実施形態に係るバルコニーの正面図、（ｂ）は同バルコニーの側面図、（ｃ）は同バルコニーの平面図である。
【図２】図１（ｃ）のＸ‐Ｘ線断面図である。
【図３】図１（ｃ）のＹ−Ｙ線断面図の一部を省略した図である。
【発明を実施するための形態】
【００１３】
以下、本発明に係るバルコニーの一実施形態を、図面を参照して具体的に説明する。なお、以下の説明において、上下左右の方向を示す場合は、図示正面から見た場合の上下左右をいうものとする。
【００１４】
本実施形態に係るバルコニー１は、戸建住宅や集合住宅或いは施設建物等に使用されるものであって、図１に示すように、建物躯体Ｋの側壁に基端部２ａ（図１（ｂ）参照）が図示しないボルト等によって取付け固定され、その基端部２ａから軒先側に延設して設けられた側面視矩形状の妻桁２が、図１（ａ）に示すように左右に並行に設けられ、その左右に並行に設けられている妻桁２の先端部２ｂに前桁３が接続され、その前桁３及び妻桁２には、複数の支柱４がビス４ａ（図３参照）を介して立設固定されている。そして、これら支柱４の上端間を結びように笠木からなる手摺り５が接続され、これら支柱４を結ぶように一定間隔置きに横化粧格子パネル６が支柱４にビス（図示せず）を介して取付け固定され、そして、前桁３と妻桁２とで囲まれた部分に、図１（ｃ）に示すように、床板材７が敷設されているというものである。
【００１５】
ところで、左右に並行に設けられている妻桁２の先端部２ｂに前桁３を接続するにあたっては、図２及び図３に示す断面視Ｌ字状に形成されている接続金具１０を用いて行われる。具体的には、この接続金具１０は、妻桁２の先端部２ｂと前桁３との接続が可能なようにコーナ部分の形状に対応してＬ字形状に形成されており、図２に示すように、接続金具１０の一端部１０ａが、妻桁２の上部より突出している上部縁部２ｃにビス１０ａ１を介して接続され、図３に示すように、接続金具１０の他端部１０ｂが、前桁３の上部より突出している上部縁部３ａにビス１０ｂ１を介して接続されている。これにより、妻桁２の先端部２ｂと前桁３とが接続金具１０を介して接続されることとなる。
【００１６】
一方、床板材７の下部には、床板材７を支持するために、図２に示すように、左右両端部に上面が開放された断面視Ｕ字状の第１の根太１１が設けられ、この一対の第１の根太１１の間には、断面視略矩形状の第２の根太１２が設けられている。この第１の根太１１は、図３に示すように、軒先側に向って下り傾斜しており、基端部１１ａが、建物躯体Ｋの側壁に複数のボルト１３を介して取付け固定されている断面視略コ字状の根太掛１４にビス１４ａを介して取付け固定され、先端部１１ｂが前桁３の中間部より突出している中間縁部３ｂにビス３ｂ１を介して取付け固定されている。そして、この第１の根太１１の上部には、図３に示すように、ルーフドレン１６が設けられている。このルーフドレン１６は、図１（ｃ）に示すように、床板材７が敷設されている前桁３と妻桁２とで囲まれた部分の前部にバルコニー１の長手方向に延設している断面視略コ字状（図３参照）の排水溝１５の左右両端に設けられており、この排水溝１５の雨水を外部へ排水するものである。しかして、このルーフドレン１６より排水された雨水は、上面が開放された断面視Ｕ字状の第１の根太１１内に貯留されることとなる。なお、この第１の根太１１の上部には、さらに、図３に示すように、床板材７が所定間隔置きに設けられたビス７ａを介して取付け固定され、さらに、排水溝１５がビス１５ａを介して取付け固定されている。
【００１７】
一方、第２の根太１２は、図２に示すように、断面視矩形状の角パイプ等からなるもので、前桁３の中間部より突出している中間縁部３ｂに先端部がビス３ｂ１を介して取付け固定され、図示はしないが、基端部が、第１の根太１１と同様、根太掛１４（図３参照）にビス（図示せず）を介して取付け固定されている。なお、このように形成される第２の根太１２は、図示では、１つしか示していないが、床板材７を支持するために、左右両端部に設けられている第１の根太１１間に、所定間隔置きに複数設けられている。
【００１８】
ところで、上述した第１の根太１１内に貯留された雨水は、本発明の特徴とする部分である後述する集水枡１８ａ，１８ｂに排水されることとなる。この点、以下、詳しく説明することとする。
【００１９】
第１の根太１１は、図３に示すように、軒先側に下り傾斜しており、その前部には、円筒状の排水パイプ１７が鉛直方向に向って取付け固定されている。そして、図２にも示すように、その排水パイプ１７の下端部１７ａには、集水枡１８ａ，１８ｂが配置されている。これにより、図２に示すように、水上側（図示左側）に位置する第１の根太１１に貯留された雨水は、排水パイプ１７を通って集水枡１８ａ内に排水され、水下側（図示右側）に位置する第１の根太１１に貯留された雨水は、排水パイプ１７を通って集水枡１８ｂ内に排水されることとなる。
【００２０】
この集水枡１８ａ，１８ｂは、図２に示すように、上面が開放された有底の側面視略台形状に形成されており、雨水を貯留できるようになっている。より具体的に説明すると、水上側（図示左側）に位置する集水枡１８ａは、妻桁２の下部より突出している断面視逆Ｌ字状の下部取付縁部２ｄの上部に、集水枡１８ａの左下部に一体形成されている断面視矩形状の妻桁用取付金具１８ａ１によって、ビス２ｂ１を介して取付け固定され、さらに、前桁３の下部より突出している断面視逆Ｌ字状の下部取付縁部３ｃ（図３参照）の上部に、集水枡１８ａの正面下部に一体形成されている矩形状の前桁用取付金具１８ａ２によって、ビス３ｃ１を介して取付け固定されている。これにより、水上側（図示左側）に位置する排水パイプ１７の下端部１７ａに集水枡１８ａが配置されることとなる。
【００２１】
そして、このように構成される集水枡１８ａには、図２に示すように、その右側部に樋が取り付けられる右樋取付部１８ａ３が一体形成され、正面部に樋が取り付けられる正面樋取付部１８ａ４が一体形成されている。
【００２２】
かくして、このように構成される集水枡１８ａの右樋取付部１８ａ３には、図２に示すように、塩化ビニル等で形成された円筒状のパイプからなる前桁横樋１９が接続されている。なお、集水枡１８ａの正面樋取付部１８ａ４には、樋が接続されていないため、正面樋取付部１８ａ４から、雨水が漏れ出さないように、蓋２０が取り付けられている。
【００２３】
一方、水下側（図示右側）に位置する集水枡１８ｂは、妻桁２の下部より突出している断面視逆Ｌ字状の下部取付縁部２ｄの下部に、集水枡１８ｂの右下部に一体形成されている断面視矩形状の妻桁用取付金具１８ｂ１によって、ビス２ｂ１を介して取付け固定され、さらに、前桁３の下部より突出している断面視逆Ｌ字状の下部取付縁部３ｃ（図３参照）の下部に、集水枡１８ｂの正面下部に一体形成されている矩形状の前桁用取付金具１８ｂ２によって、ビス３ｃ１を介して取付け固定されている。これにより、水下側（図示右側）に位置する排水パイプ１７の下端部１７ａに集水枡１８ｂが配置されることとなる。
【００２４】
そして、このように構成される集水枡１８ｂには、図２に示すように、その左側部に樋が取り付けられる左樋取付部１８ｂ３が一体形成され、正面部に樋が取り付けられる正面樋取付部１８ｂ４が一体形成されている。
【００２５】
かくして、このように構成される集水枡１８ｂの左樋取付部１８ｂ３には、図２に示すように、塩化ビニル等で形成された円筒状のパイプからなる前桁横樋１９が接続され、集水枡１８ｂの正面樋取付部１８ｂ４には、図３に示すように、塩化ビニル等で形成された円筒状のパイプからなる妻桁横樋２１が接続されている。
【００２６】
しかして、このように、水上側（図示左側）に位置する集水枡１８ａを妻桁２の下部より突出している断面視逆Ｌ字状の下部取付縁部２ｄの上部並びに前桁３の下部より突出している断面視逆Ｌ字状の下部取付縁部３ｃの上部に取付ける一方、水下側（図示右側）に位置する集水枡１８ｂを妻桁２の下部より突出している断面視逆Ｌ字状の下部取付縁部２ｄの下部並びに前桁３の下部より突出している断面視逆Ｌ字状の下部取付縁部３ｃの下部に取付けるようにすれば、水下側（図示右側）に位置する集水枡１８ｂの取り付け位置が、水上側（図示左側）に位置する集水枡１８ａの取り付け位置より低くなる。それゆえ、図２に示すように、この取付け位置にある集水枡１８ａの右樋取付部１８ａ３に前桁横樋１９の一端部１９ａを接続し、集水枡１８ｂの左樋取付部１８ｂ３に前桁横樋１９の他端部１９ｂを接続するようにすれば、前桁横樋１９が水上側（図示左側）から水下側（図示右側）に下り傾斜して接続されることとなる。これにより、水上側（図示左側）に位置する集水枡１８ａ内に排水された雨水は、水上側（図示左側）から水下側（図示右側）に下り傾斜している前桁横樋１９を通って水下側（図示右側）に位置する集水枡１８ｂ内に排水されることとなる。そして、この集水枡１８ｂには、図３に示すように、正面樋取付部１８ｂ４に妻桁横樋２１が接続されており、この妻桁横樋２１は、建物躯体Ｋ側に向って下り傾斜し、塩化ビニル等で形成された円筒状のパイプからなる縦樋２２と連通されている。これにより、集水枡１８ｂに貯留された雨水は、妻桁横樋２１並びに縦樋２２を通って外部に排水されることとなる。
【００２７】
かくして、排水溝１５の雨水は、ルーフドレン１６を介して第１の根太１１に排水され、そして、その第１の根太１１に排水された雨水は、排水パイプ１７を通って、集水枡１８ａ，１８ｂに排水される。そしてさらに、水上側（図示左側）に位置する集水枡１８ａに排水された雨水は、前桁横樋１９を通って、水下側（図示右側）に位置する集水枡１８ｂに排水され、その雨水は、集水枡１８ｂから妻桁横樋２１並びに縦樋２２を通って外部に排水されることとなる。しかるに、排水溝１５の雨水は、水下側（図示右側）に位置する集水枡１８ｂに集約されて、外部に排水されることとなる。
【００２８】
しかして、このように、集水枡１８ａ及び集水枡１８ｂの取り付け位置を変えて、前桁横樋１９に勾配をつけるようにすれば、従来のように、スペーサーを用いて勾配をつけなくとも、前桁に流れ込んだ雨水を容易に排水することができる。それゆえ、本実施形態によれば、従来のようなスペーサーの厚みを変更しなければならない等の作業工程が無くなり、作業が簡素化されるため、もって、施工性を向上させることができる。
【００２９】
ところで、図２に示す水下側（図示左側）に位置する集水枡１８ｂは、水上側（図示左側）に位置する集水枡１８ａを妻桁２側に９０度回転させたもの（すなわち、集水枡１８ａの右樋取付部１８ａ３を図示手前側に向って、妻桁２側に９０度回転させたもの）であり、同一の部材で構成されている。すなわち、集水枡１８ａの妻桁用取付金具１８ａ１が、集水枡１８ｂの前桁用取付金具１８ｂ２に該当し、集水枡１８ａの前桁用取付金具１８ａ２が、集水枡１８ｂの妻桁用取付金具１８ｂ１に該当し、集水枡１８ａの右樋取付部１８ａ３が、集水枡１８ｂの正面樋取付部１８ｂ４に該当し、集水枡１８ａの正面樋取付部１８ａ４が、集水枡１８ｂの左樋取付部１８ｂ３に該当する。このようにすれば、集水枡１８ａ，１８ｂの部品を共通化することができ、もって、部品点数を削減することができる。
【００３０】
ところで、上述したように、集水枡１８ａの正面樋取付部１８ａ４には、図２に示すように、蓋２０が取り付けられているが、これは、集水枡１８ａ，１８ｂを同一部材で構成しているためである。すなわち、別部材で構成していれば、集水枡１８ａには、正面樋取付部１８ａ４は不要であるため、集水枡１８ａに正面樋取付部１８ａ４をわざわざ設ける必要はない。しかしながら、集水枡１８ａと集水枡１８ｂとは、同一部材で構成しているため、集水枡１８ａに正面樋取付部１８ａ４が設けられている。それゆえ、この正面樋取付部１８ａ４から、雨水が漏れ出さないように、図２に示すように、蓋２０が取り付けられている。
【００３１】
ところで、図２及び図３に示す符号３０は、軒天パネルで、軒天井を形成するものである。この軒天パネル３０は、図３に示すように断面視矩形状に形成され、前桁３の下部に配置されると共に軒先側に向って下り傾斜するように、図３に示すように、基端部３０ａが、ボルト（図示せず）を介して建物躯体Ｋに取付け固定されている軒天ランナー３１に、ビス（図示せず）を介して取付け固定され、先端部３０ｂが、ビス３ｃ１を介して前桁３の下部より突出している断面視逆Ｌ字状の下部取付縁部３ｃに取付け固定されている断面視Ｌ字状の軒天取付金具３２に、ビス３２ａを介して取付け固定されている。そして、このようにして前桁３の下部に配置されると共に軒先側に向って下り傾斜するように配置された軒天パネル３０の先端部３０ｂと前桁３との間には、図３に示すように、隙間ができるようにしている。これにより、軒天パネル３０に流れてきた雨水が軒先側より排水されることとなる。
【００３２】
しかして、以上説明した本実施形態によれば、集水枡１８ａの取り付け位置と、集水枡１８ｂの取り付け位置との高低差をつけるだけで、前桁横樋１９に勾配をつけているから、勾配をつけるにあたって、従来のようにスペーサーの厚みを変更しなければならない等の作業工程が無くなり、もって、作業が簡素化され、施工性を向上させることができる。
【００３３】
また、本実施形態によれば、集水枡１８ａ，１８ｂの同一部材で構成しているため、部品を共通化することができ、もって、部品点数を削減することができる。
【００３４】
なお、本実施形態において示した形状等はあくまで一例であり、特許請求の範囲に記載された本発明の要旨の範囲内において、種々の変形・変更が可能である。
【符号の説明】
【００３５】
１              バルコニー
２              妻桁
２ｂ          （妻桁の）先端部（先端）
３              前桁
１８ａ，１８ｂ  集水枡
１９            前桁横樋（樋）
Ｋ              建物躯体
【図１】
2018040173.tif 000003
【図２】
2018040173.tif 000004
【図３】
2018040173.tif 000005